(57)【要約】【課題】受信した地域関連データから、視聴者が所望する地理的範囲に密着した情報のものを選択して取得することが可能となるデータ放送受信装置を提供する。【解決手段】地方、都道府県、市区町村、小学校区、自治会、町、番地により詳細に特定される地理的範囲に対応したコード体系をもつ地域コードを導入し、視聴者が所望する地理的範囲を示す地域コードを初期設定地域コード１１２として記憶部１１０に記憶する。また地域関連データには当該地域関連データの内容の地理的範囲を示す地域コードを組み込む。制御部１０８は、受信した地域関連データから地域コードを抽出し、初期設定地域コード１１２と合致すると、この受信した地域関連データの内容（コンテンツ）を表示部１０６により表示する。【選択図】    図１
2004187180.tif 000002
【特許請求の範囲】
【請求項１】
地上デジタルテレビジョン放送方式によって地域に密着した情報である地域関連データを送信する地域関連データ放送を受信可能なデータ放送受信装置であって、
当該データ放送受信装置の設置位置の情報として視聴者の指示により設定される視聴者所望の地理的範囲を示す設定地理的範囲情報を記憶する手段と、
受信した地域関連データの地理的範囲を示す抽出地理的範囲情報を抽出する手段と、
受信した地域関連データから抽出した前記抽出地理的範囲情報が、前記設定地理的範囲情報と合致すると、この地理的範囲情報の合致する地域関連データを取得する手段と
を備え、視聴者所望の地理的範囲に係る地域関連データを取得することを特徴とするデータ放送受信装置。
【請求項２】
前記設定地理的範囲情報を記憶する手段は、初期設定時に設定される前記設定地理的範囲情報を記憶することを特徴とする請求項１記載のデータ放送受信装置。
【請求項３】
請求項１記載のデータ放送受信装置であって、
前記設定地理的範囲情報を記憶する手段は、初期設定時も含めて随時設定される複数の前記設定地理的範囲情報を記憶し、
前記設定地理的範囲情報を記憶する手段により記憶された前記設定地理的範囲情報のうちから視聴者の指示により選択された前記設定地理的範囲情報を示す選択地理的範囲情報を記憶する手段を具備し、
前記地理的範囲情報の合致する地域関連データを取得する手段は、受信した地域関連データから抽出した前記抽出地理的範囲情報が、前記選択地理的範囲情報に基づき読み出した前記選択された前記設定地理的範囲情報と合致すると、この地理的範囲情報の合致する地域関連データを取得する
ことを特徴とするデータ放送受信装置。
【請求項４】
前記設定地理的範囲情報と前記抽出地理的範囲情報は、地理的範囲の詳細な限定が可能となる地域コードにより構成されることを特徴とする請求項１乃至３のいずれかに記載のデータ放送受信装置。
【請求項５】
地上デジタルテレビジョン放送方式によって地域に密着した情報である地域関連データを送信する地域関連データ放送を受信可能なデータ放送受信装置であって、
当該データ放送受信装置の設置位置の情報として初期設定時において視聴者の指示により設定される所定の地理的範囲を示す設定地理的範囲情報を記憶する手段と、
受信した地域関連データの地理的範囲を示す抽出地理的範囲情報を抽出する手段と、
視聴者の指示により前記設定地理的範囲情報における視聴者所望の地理的範囲に係る地理的範囲情報を有効とする有効範囲情報を記憶する手段と、
前記有効範囲情報に基づき、前記設定地理的範囲情報、および前記抽出地理的範囲情報それぞれにおける前記視聴者所望の地理的範囲に係る地理的範囲情報を求める手段と、
受信した地域関連データから抽出した前記抽出地理的範囲情報から求めた前記視聴者所望の地理的範囲に係る地理的範囲情報が、前記設定地理的範囲情報から求めたそれと合致すると、この地理的範囲情報の合致する地域関連データを取得する手段と
を備え、視聴者所望の地理的範囲に係る地域関連データを取得することを特徴とするデータ放送受信装置。
【請求項６】
請求項５記載のデータ放送受信装置であって、
前記有効範囲情報を記憶する手段は、随時設定される複数の前記有効範囲情報を記憶し、
前記有効範囲情報を記憶する手段により記憶された前記有効範囲情報のうちから視聴者の指示により選択された前記有効範囲情報を示す選択有効範囲情報を記憶する手段を具備し、
前記視聴者所望の地理的範囲に係る地理的範囲情報を求める手段は、前記選択有効範囲情報に基づき読み出した前記選択された前記有効範囲情報に基づき、前記設定地理的範囲情報、および前記抽出地理的範囲情報それぞれにおける前記視聴者所望の地理的範囲に係る地理的範囲情報を求める
ことを特徴とするデータ放送受信装置。
【請求項７】
前記視聴者所望の地理的範囲に係る地理的範囲情報を求める手段は、前記有効範囲情報と、前記設定地理的範囲情報、および前記抽出地理的範囲情報それぞれとの論理積をとることにより、前記設定地理的範囲情報、および前記抽出地理的範囲情報それぞれにおける前記視聴者所望の地理的範囲に係る地理的範囲情報を求めることを特徴とする請求項５もしくは６のいずれかに記載のデータ放送受信装置。
【請求項８】
前記設定地理的範囲情報と前記抽出地理的範囲情報は、地理的範囲の詳細な限定が可能となる地域コードにより構成されることを特徴とする請求項５乃至７のいずれかに記載のデータ放送受信装置。
【請求項９】
請求項１乃至８のいずれかに記載のデータ放送受信装置であって、
視聴者の指示により設定される視聴者所望のジャンルを示す設定ジャンル情報を記憶する手段と、
受信した地域関連データの内容を表すジャンルを示す抽出ジャンル情報を抽出する手段と、
受信した地域関連データから抽出した前記抽出ジャンル情報が、前記設定ジャンル情報と合致すると、このジャンル情報の合致する地域関連データを取得する手段と
を備え、視聴者所望の地理的範囲に係る地域関連データであって、その地域関連データの内容を表すジャンルが視聴者所望のジャンルと一致するものを取得することを特徴とするデータ放送受信装置。
【請求項１０】
前記設定ジャンル情報を記憶する手段は、初期設定時に設定される前記設定ジャンル情報を記憶することを特徴とする請求項９記載のデータ放送受信装置。
【請求項１１】
請求項９記載のデータ放送受信装置であって、
前記設定ジャンル情報を記憶する手段は、初期設定時も含めて随時設定される複数の前記設定ジャンル情報を記憶し、
前記設定ジャンル情報を記憶する手段により記憶された前記設定ジャンル情報のうちから視聴者の指示により選択された前記設定ジャンル情報を示す選択ジャンル情報を記憶する手段を具備し、
前記ジャンル情報の合致する地域関連データを取得する手段は、受信した地域関連データから抽出した前記抽出ジャンル情報が、前記選択ジャンル情報に基づき読み出した前記選択された前記設定ジャンル情報と合致すると、このジャンル情報の合致する地域関連データを取得する
ことを特徴とするデータ放送受信装置。
【請求項１２】
前記設定ジャンル情報と前記抽出ジャンル情報は、ジャンルの詳細な限定が可能となるデータ放送用ジャンル情報コードにより構成されることを特徴とする請求項９乃至１１のいずれかに記載のデータ放送受信装置。
【発明の詳細な説明】
【０００１】
【発明の属する技術分野】
本発明は、地上デジタルテレビジョン放送における地域に密着した情報を提供するデータ放送を受信するデータ放送受信装置に関する。
【０００２】
【従来の技術】
地上波放送がアナログテレビジョン方式からデジタルテレビジョン方式に移行することによって、従来のニュース、ドラマ、スポーツ等の番組放送に加えてデータ放送が放送されるようになる。データ放送には、番組放送の内容に関係する情報を提供する番組内容データ放送（出演している俳優のプロフィール情報、撮影場所の情報等）や、地域に密着した情報を提供する地域関連データ放送（ガス工事、選挙、予防接種等の公共情報や、台風、地震、火災等の災害情報、大売り出しのお店情報等）が考えられている。
【０００３】
以下、データ放送受信装置が、地域関連データ放送により送信される地域に密着した情報（地域関連データ）の中から自装置の設置場所（設置位置）に対応する情報（地域関連データ）を選択できるようにするための従来考えられている方法について説明する。
【０００４】
「社団法人電波産業会（ＡＲＩＢ）」が策定した「地上デジタルテレビジョン放送運用規定（ＡＲＩＢ  ＴＲ−Ｂ１４）」には、データ放送受信装置の初期設定時に、設置場所（設置位置）に対応した県域コード（「社団法人電波産業会」の策定した「デジタル放送に使用する番組配列情報の標準規格（ＡＲＩＢ  ＳＴＤ−Ｂ１０）」に定められた県域コード（ＡＲＩＢ  ＳＴＤ−Ｂ１０の付録Ｇ；第１３１頁参照。））や、郵便番号の設定を行うよう決められている。
【０００５】
このことから、地域関連データ放送により送信される送信データ（地域関連データ）には、その送信データ（地域関連データ）の内容（地域に密着した情報）に対応する県域コードや郵便番号を示すヘッダーが設けられるものと考えられる。
【０００６】
そこで、この県域コードや郵便番号を示すヘッダーとあらかじめ視聴者が設定した県域コードまたは郵便番号との合致判断を行い、設置場所（設置位置）に対応する情報（送信データ）を選択できるようにする方法が従来考えられている。
【０００７】
以下、従来のデータ放送受信装置について説明する。図２４は、従来のデータ放送受信装置の概略ブロック図である。図２４において、２４０１は放送局からのデータ放送（トランスポートストリームによる送信データ）を受信するアンテナ、２４０２はアンテナ２４０１で受信するトランスポートストリームの中から視聴者が所望する放送局のトランスポンダから送信されるトランスポートストリームを選択する受信部、２４０３は受信部２４０２により選択されたトランスポンダから送信されるトランスポートストリームの中から視聴者が所望する放送局からのトランスポートストリームを選択してＭＰＥＧ２データに復元するＴＳデコーダ部、２４０４はＴＳデコーダ部２４０３により復元されたＭＰＥＧ２データをＡＶデータに復元するＡＶデコーダ部、２４０５はＡＶデコーダ部２４０４により復元されたＡＶデータをビデオ信号とオーディオ信号に再生する再生部、２４０６は再生部２４０５により再生されたビデオ信号を基に映像表示を行う表示部、２４０７は再生部２４０５により再生されたオーディオ信号を基に音声出力を行うスピーカーである。
【０００８】
また、２４０８は当該データ放送受信装置全体の制御を司る制御部、２４０９は制御部２４０８に所定の制御を実行させるためのプログラムを格納する制御データ記憶部、２４１０は県域コード２４１２や郵便番号２４１３を記憶する記憶部、２４１１は視聴者が県域コードや郵便番号を入力するための指令入力部であり、指令入力部２４１１により入力された県域コードや郵便番号は、記憶部２４１０に記憶される。
【０００９】
上述したように、「社団法人電波産業会」が策定した「地上デジタルテレビジョン放送運用規定」によれば、視聴者は、データ放送受信装置の初期設定時に、設置場所（設置位置）に対応した県域コードや郵便番号を設定するよう決められている。
【００１０】
図２５は、地域関連データ放送に使用されると考えられている送信データ（地域関連データ）のフォーマットを説明するための図である。図２５において、２５０１は送信データ本体であり、内容（地域に密着した情報）を表示するときの書式、色、位置等を指定するヘッダー２５０２が設けられている。また、内容２５０３内には、その地域に密着した情報２５０５に対応する県域コードや郵便番号の組み込まれた情報ヘッダー２５０４が設けられている。
【００１１】
上述した「地上デジタルテレビジョン放送運用規定」には、内容（地域に密着した情報）を表示するときの書式、色、位置等を指定するヘッダー２５０２を設けることのみが決められている。このヘッダー２５０２には地域に密着した情報に関する情報が含まれないので、内容２５０３内に、地域に密着した情報２５０５に対応する県域コードや郵便番号の組み込まれた情報ヘッダー２５０４が設けられているものと考えられている。
【００１２】
以下、当該従来のデータ放送受信装置が、ある放送局による地域関連データ放送によって送信される地域に密着した情報（送信データ）の中から自装置の設置場所（設置位置）に対応する情報（送信データ）を選択する際の動作について、図２６に示すフローチャート図を用いて説明する。
【００１３】
まず、視聴者が行う初期設定について説明すると、視聴者は、初期設定を行うか否かを選択することができる（ＳＴＥＰ２６０１）。初期設定を行う場合（ＳＴＥＰ２６０１のＹＥＳ）、視聴者は、上述した「地上デジタルテレビジョン放送運用規定」で決められている県域コード（上述した「「デジタル放送に使用する番組配列情報の標準規格」に定められた県域コード」）と郵便番号を指令入力部から入力する。データ放送受信装置（制御部）は、視聴者が入力した県域コードと郵便番号を記憶部へ記憶する（ＳＴＥＰ２６０２）。
【００１４】
続いて、ある放送局による地域関連データ放送によって送信される地域に密着した情報（送信データ）の中から自装置の設置場所（設置位置）に対応する情報（送信データ）を選択する際の動作について説明する。
【００１５】
視聴者が所望する放送局からの地域関連データ放送（トランスポートストリームによる送信データ）を受信しＭＰＥＧ２データに復元すると（ＳＴＥＰ２６０３）、データ放送受信装置（制御部）は、まずこの送信データ（地域関連データ）の情報ヘッダーから県域コードと郵便番号を抽出する（ＳＴＥＰ２６０４）。そして抽出した県域コードと記憶している県域コードとを比較し（ＳＴＥＰ２６０５）、合致すれば（ＳＴＥＰ２６０５のＹＥＳ）、この送信データを取得して（ＳＴＥＰ２６０７）、表示部やスピーカーにより表示や音声出力が行われるようにする（ＳＴＥＰ２６０８）。県域コードが合致しなければ（ＳＴＥＰ２６０５のＮＯ）、郵便番号を比較し（ＳＴＥＰ２６０６）、合致すれば（ＳＴＥＰ２６０６のＹＥＳ）、この送信データを取得して（ＳＴＥＰ２６０７）、表示部やスピーカーにより表示や音声出力が行われるようにする（ＳＴＥＰ２６０８）。郵便番号も合致しなければ（ＳＴＥＰ２６０６のＮＯ）この送信データは破棄する（ＳＴＥＰ２６０９）。
【００１６】
このように、都道府県に対応する県域コードや住所に対応する郵便番号などの情報を記憶しておくことで、受信した地域関連データ放送により送信される地域に密着した情報（地域関連データ）の中から、データ放送受信装置の設置場所（設置位置）に対応する情報（地域関連データ）を選択する方法が従来考えられている（例えば、特許文献１参照。）。
【００１７】
しかしながら、従来のデータ放送受信装置では、県域コードや郵便番号により特定される地理的範囲の情報（地域関連データ）を選択することはできるが、例えば、地方（近畿、中部、東海など）、都道府県、市町村、番地、自治会、学校区など、その他の地理的範囲を特定することができず、視聴者の所望する地理的範囲の情報（地域関連データ）を選択することができなかった。
【００１８】
【特許文献１】
特開２０００−１１１５０４号公報
【００１９】
【発明が解決しようとする課題】
本発明は、上記従来の問題を解決するもので、例えば、地方（近畿、中部、東海など）、都道府県、市町村、番地、自治会、学校区など視聴者が所望する地理的範囲を示す地理的範囲情報を設定可能とすることにより、受信した地域関連データ放送により送信される地域に密着した情報（地域関連データ）の中から、視聴者が所望する地理的範囲に密着した情報（地域関連データ）を選択して取得することが可能となるデータ放送受信装置を提供することを目的とする。
【００２０】
また、例えば、ガス工事、選挙、予防接種等の公共情報や、台風、地震、火災等の災害情報、大売り出しのお店情報など視聴者が所望するジャンルを示すジャンル情報を設定可能とすることにより、視聴者が所望する地理的範囲に密着した情報（地域関連データ）の中から、視聴者が所望するジャンルのものを選択して取得することが可能となるデータ放送受信装置を提供することを目的とする。
【００２１】
【課題を解決するための手段】
本発明の請求項１記載のデータ放送受信装置は、地上デジタルテレビジョン放送方式によって地域に密着した情報である地域関連データを送信する地域関連データ放送を受信可能なデータ放送受信装置であって、当該データ放送受信装置の設置位置の情報として視聴者の指示により設定される視聴者所望の地理的範囲を示す設定地理的範囲情報を記憶する手段と、受信した地域関連データの地理的範囲を示す抽出地理的範囲情報を抽出する手段と、受信した地域関連データから抽出した前記抽出地理的範囲情報が、前記設定地理的範囲情報と合致すると、この地理的範囲情報の合致する地域関連データを取得する手段とを備え、視聴者所望の地理的範囲に係る地域関連データを取得することを特徴とする。
【００２２】
本発明の請求項２記載のデータ放送受信装置は、請求項１記載のデータ放送受信装置であって、前記設定地理的範囲情報を記憶する手段は、初期設定時に設定される前記設定地理的範囲情報を記憶することを特徴とする。
【００２３】
本発明の請求項３記載のデータ放送受信装置は、請求項１記載のデータ放送受信装置であって、前記設定地理的範囲情報を記憶する手段は、初期設定時も含めて随時設定される複数の前記設定地理的範囲情報を記憶し、前記設定地理的範囲情報を記憶する手段により記憶された前記設定地理的範囲情報のうちから視聴者の指示により選択された前記設定地理的範囲情報を示す選択地理的範囲情報を記憶する手段を具備し、前記地理的範囲情報の合致する地域関連データを取得する手段は、受信した地域関連データから抽出した前記抽出地理的範囲情報が、前記選択地理的範囲情報に基づき読み出した前記選択された前記設定地理的範囲情報と合致すると、この地理的範囲情報の合致する地域関連データを取得することを特徴とする。
【００２４】
本発明の請求項４記載のデータ放送受信装置は、請求項１乃至３のいずれかに記載のデータ放送受信装置であって、前記設定地理的範囲情報と前記抽出地理的範囲情報は、地理的範囲の詳細な限定が可能となる地域コードにより構成されることを特徴とする。
【００２５】
本発明の請求項５記載のデータ放送受信装置は、地上デジタルテレビジョン放送方式によって地域に密着した情報である地域関連データを送信する地域関連データ放送を受信可能なデータ放送受信装置であって、当該データ放送受信装置の設置位置の情報として初期設定時において視聴者の指示により設定される所定の地理的範囲を示す設定地理的範囲情報を記憶する手段と、受信した地域関連データの地理的範囲を示す抽出地理的範囲情報を抽出する手段と、視聴者の指示により前記設定地理的範囲情報における視聴者所望の地理的範囲に係る地理的範囲情報を有効とする有効範囲情報を記憶する手段と、前記有効範囲情報に基づき、前記設定地理的範囲情報、および前記抽出地理的範囲情報それぞれにおける前記視聴者所望の地理的範囲に係る地理的範囲情報を求める手段と、受信した地域関連データから抽出した前記抽出地理的範囲情報から求めた前記視聴者所望の地理的範囲に係る地理的範囲情報が、前記設定地理的範囲情報から求めたそれと合致すると、この地理的範囲情報の合致する地域関連データを取得する手段とを備え、視聴者所望の地理的範囲に係る地域関連データを取得することを特徴とする。
【００２６】
本発明の請求項６記載のデータ放送受信装置は、請求項５記載のデータ放送受信装置であって、前記有効範囲情報を記憶する手段は、随時設定される複数の前記有効範囲情報を記憶し、前記有効範囲情報を記憶する手段により記憶された前記有効範囲情報のうちから視聴者の指示により選択された前記有効範囲情報を示す選択有効範囲情報を記憶する手段を具備し、前記視聴者所望の地理的範囲に係る地理的範囲情報を求める手段は、前記選択有効範囲情報に基づき読み出した前記選択された前記有効範囲情報に基づき、前記設定地理的範囲情報、および前記抽出地理的範囲情報それぞれにおける前記視聴者所望の地理的範囲に係る地理的範囲情報を求めることを特徴とする。
【００２７】
本発明の請求項７記載のデータ放送受信装置は、請求項５もしくは６のいずれかに記載のデータ放送受信装置であって、前記視聴者所望の地理的範囲に係る地理的範囲情報を求める手段は、前記有効範囲情報と、前記設定地理的範囲情報、および前記抽出地理的範囲情報それぞれとの論理積をとることにより、前記設定地理的範囲情報、および前記抽出地理的範囲情報それぞれにおける前記視聴者所望の地理的範囲に係る地理的範囲情報を求めることを特徴とする。
【００２８】
本発明の請求項８記載のデータ放送受信装置は、請求項５乃至７のいずれかに記載のデータ放送受信装置であって、前記設定地理的範囲情報と前記抽出地理的範囲情報は、地理的範囲の詳細な限定が可能となる地域コードにより構成されることを特徴とする。
【００２９】
本発明の請求項９記載のデータ放送受信装置は、請求項１乃至８のいずれかに記載のデータ放送受信装置であって、視聴者の指示により設定される視聴者所望のジャンルを示す設定ジャンル情報を記憶する手段と、受信した地域関連データの内容を表すジャンルを示す抽出ジャンル情報を抽出する手段と、受信した地域関連データから抽出した前記抽出ジャンル情報が、前記設定ジャンル情報と合致すると、このジャンル情報の合致する地域関連データを取得する手段とを備え、視聴者所望の地理的範囲に係る地域関連データであって、その地域関連データの内容を表すジャンルが視聴者所望のジャンルと一致するものを取得することを特徴とする。
【００３０】
本発明の請求項１０記載のデータ放送受信装置は、請求項９記載のデータ放送受信装置であって、前記設定ジャンル情報を記憶する手段は、初期設定時に設定される前記設定ジャンル情報を記憶することを特徴とする。
【００３１】
本発明の請求項１１記載のデータ放送受信装置は、請求項９記載のデータ放送受信装置であって、前記設定ジャンル情報を記憶する手段は、初期設定時も含めて随時設定される複数の前記設定ジャンル情報を記憶し、前記設定ジャンル情報を記憶する手段により記憶された前記設定ジャンル情報のうちから視聴者の指示により選択された前記設定ジャンル情報を示す選択ジャンル情報を記憶する手段を具備し、前記ジャンル情報の合致する地域関連データを取得する手段は、受信した地域関連データから抽出した前記抽出ジャンル情報が、前記選択ジャンル情報に基づき読み出した前記選択された前記設定ジャンル情報と合致すると、このジャンル情報の合致する地域関連データを取得することを特徴とする。
【００３２】
本発明の請求項１２記載のデータ放送受信装置は、請求項９乃至１１のいずれかに記載のデータ放送受信装置であって、前記設定ジャンル情報と前記抽出ジャンル情報は、ジャンルの詳細な限定が可能となるデータ放送用ジャンル情報コードにより構成されることを特徴とする。
【００３３】
本発明によれば、例えば、地方（近畿、中部、東海など）、都道府県、市町村、番地、自治会、学校区など視聴者が所望する地理的範囲を示す地理的範囲情報が設定可能となるので、受信した地域関連データ放送により送信される地域関連データ（地域に密着した情報）の中から、視聴者が所望する地理的範囲に係る地域関連データを選択して取得することが可能となる。
【００３４】
また、例えば、ガス工事、選挙、予防接種等の公共情報や、台風、地震、火災等の災害情報、大売り出しのお店情報など視聴者が所望するジャンルを示すジャンル情報が設定可能となるので、視聴者が所望する地理的範囲に係る地域関連データの中から、視聴者が所望するジャンルのものを選択して取得することが可能となる。
【００３５】
【発明の実施の形態】
以下、本発明の実施の形態について、図面を参照しながら説明する。なお、ここで示す実施の形態はあくまでも一例であって、必ずしも以下の実施の形態に限定されるものではない。
【００３６】
（実施の形態１）
図１は本発明の実施の形態１によるデータ放送受信装置の概略ブロック図である。当該データ放送受信装置は、地上デジタルテレビジョン放送方式によって地域に密着した情報（地域関連データ）を送信する地域関連データ放送を受信可能な装置である。
【００３７】
図１において、１０１は放送局からのデータ放送（トランスポートストリームによる送信データ）を受信するアンテナ、１０２はアンテナ１０１で受信するトランスポートストリームの中から視聴者が所望する放送局のトランスポンダから送信されるトランスポートストリームを選択する受信部、１０３は受信部１０２により選択されたトランスポンダから送信されるトランスポートストリームの中から視聴者が所望する放送局からのトランスポートストリームを選択してＭＰＥＧ２データに復元するＴＳデコーダ部、１０４はＴＳデコーダ部１０３により復元されたＭＰＥＧ２データをＡＶデータに復元するＡＶデコーダ部、１０５はＡＶデコーダ部１０４により復元されたＡＶデータをビデオ信号とオーディオ信号に再生する再生部、１０６は再生部１０５により再生されたビデオ信号を基に映像表示を行う表示部、１０７は再生部１０５により再生されたオーディオ信号を基に音声出力を行うスピーカーである。なお、データ放送によっては映像のみ、音声のみの放送もあるが、無論、本実施の形態ではこれらを排除するものではないことは言うまでもない。
【００３８】
また、１０８は当該データ放送受信装置全体の制御を司る制御部、１０９は制御部１０８に所定の制御を実行させるためのプログラムを格納する制御データ記憶部、１１０は視聴者が設定する初期設定地域コード（設定地理的範囲情報）１１２等を記憶する記憶部、１１１は視聴者が初期設定地域コード１１２等を入力するための指令入力部である。本実施の形態１によるデータ放送受信装置では、指令入力部１１１により初期設定時に入力された初期設定地域コード１１２が、記憶部１１０に記憶される。但し、本実施の形態１では初期設定時に設定地理的範囲情報の設定を行うものとするが、初期設定時以外でも無論よい。
【００３９】
また、本実施の形態１によるデータ放送受信装置の制御部１０８は、初期設定時に入力された初期設定地域コード（設定地理的範囲情報）１１２を記憶部１１０へ記憶する機能（設定地理的範囲情報を記憶する手段）に加えて、受信した地域関連データ（送信データ）から地理的範囲を示す地域コード（抽出地理的範囲情報）を抽出する機能（抽出地理的範囲情報を抽出する手段）と、この抽出した地域コードが、初期設定時に記憶部１１０に記憶した初期設定地域コード１１２と合致すると、この受信した地域関連データを取得する機能（地理的範囲情報の合致する地域関連データを取得する手段）とを有する。
【００４０】
まず、本実施の形態１による地域コード（地理的範囲情報）について説明する。図２は、本実施の形態１による地域コードを説明するための図である。この地域コードのコード体系は、概略コード体系表２０２に示すように、地方、都道府県、市区町村、小学校区、自治会、町、番地により特定される地理的範囲（地域名）それぞれに地域コードが割り当てられた構造となっており、例えば１番からの通し番号でよい。このようなコード体系をもつ地域コードを導入すれば、地理的範囲を詳細に限定することが可能となる。
【００４１】
続いて、本実施の形態１による地域関連データ放送により送信される送信データ（地域関連データ）のフォーマットについて説明する。図３は地域関連データ放送により送信される送信データのフォーマットを説明するための図である。図３において、３０１は送信データ本体であり、内容（地域に密着した情報）を表示するときの書式、色、位置等を指定するヘッダー３０２が設けられている。また、内容３０３内には、その地域に密着した情報３０５の地理的範囲（地域名）を示す地域コード（抽出地理的範囲情報）の組み込まれた情報ヘッダー３０４が設けられている。
【００４２】
以下、当該データ放送受信装置が、ある放送局による地域関連データ放送によって送信される地域関連データ（送信データ）の中から、視聴者が所望する地理的範囲（地域名）に係る地域関連データを選択する際の動作について、図４に示すフローチャート図を用いて説明する。
【００４３】
まず、視聴者が行う初期設定について説明すると、視聴者は、初期設定を行うか否かを選択することができる（ＳＴＥＰ４０１）。初期設定を行う場合（ＳＴＥＰ４０１のＹＥＳ）、視聴者は、上述した「地上デジタルテレビジョン放送運用規定」で決められている県域コード（上述した「「デジタル放送に使用する番組配列情報の標準規格」に定められた県域コード」）と、郵便番号を指令入力部から入力する。データ放送受信装置（制御部）は、視聴者が入力した県域コードと郵便番号を記憶部へ記憶する（ＳＴＥＰ４０２）。そして、さらにＳＴＥＰ４０３において視聴者が当該データ放送受信装置の設置位置の情報として指令入力部から入力した視聴者所望の地理的範囲を示す初期設定地域コード（設定地理的範囲情報）を記憶する。
【００４４】
続いて、ある放送局による地域関連データ放送によって送信される地域関連データ（送信データ）の中から、視聴者が所望する地理的範囲（地域名）に係る地域関連データを選択する際の動作について説明する。
【００４５】
視聴者が所望する放送局からの地域関連データ放送（トランスポートストリームによる送信データ）を受信しＭＰＥＧ２データに復元すると（ＳＴＥＰ４０４）、データ放送受信装置（制御部）は、まずこの送信データ（地域関連データ）の情報ヘッダーから地域コード（抽出地理的範囲情報）を抽出する（ＳＴＥＰ４０５）。
【００４６】
そして、この抽出した地域コードと初期設定地域コードを比較し（ＳＴＥＰ４０６）、合致すれば（ＳＴＥＰ４０６のＹＥＳ）、この送信データを取得して（ＳＴＥＰ４０７）、表示部やスピーカーにより表示や音声出力が行われるようにする（ＳＴＥＰ４０８）。合致しなければ（ＳＴＥＰ４０６のＮＯ）、この送信データは破棄する（ＳＴＥＰ４０９）。
【００４７】
以上のように、本実施の形態１によれば、地方、都道府県、市区町村、小学校区、自治会、町、番地により詳細に特定される地理的範囲（地域名）に対応したコード体系をもつ地域コード（地理的範囲情報）を導入することにより、地域関連データ放送により送信される地域関連データ（地域に密着した情報）の中から、視聴者が所望する地理的範囲に係る地域関連データを容易に選択することが可能となり、利便性を高めることができる。
【００４８】
（実施の形態２）
図５は本発明の実施の形態２によるデータ放送受信装置の概略ブロック図である。なお、前述した実施の形態１と同じ構成を有する部材には同一の番号を付記して、説明を省略する。
【００４９】
本実施の形態２によるデータ放送受信装置は、図５に示すように、初期設定地域コード１１２に加えて、初期設定時以外の時においても随時、任意に設定される複数の任意設定地域コード５０１を記憶部１１０に記憶し、これら（初期設定時のものを含む。）の中から選択された地域コードにより特定される地理的範囲（地域名）に係る地域関連データ（地域に密着した情報）を、地域関連データ放送により送信される地域関連データの中から選択することが可能となる点が実施の形態１によるデータ放送受信装置とは異なる。
【００５０】
すなわち、本実施の形態２によるデータ放送受信装置の制御部１０８は、前述した実施の形態１によるデータ放送受信装置の制御部が有する機能に加えて、随時、任意に設定される複数の地域コード（設定地理的範囲情報）を記憶部１１０に記憶する機能（設定地理的範囲情報を記憶する手段）と、これら（初期設定時に記憶したものを含む。）の中から選択された地域コードを示す比較コード選択情報５０２（選択地理的範囲情報）を記憶する機能（選択地理的範囲情報を記憶する手段）と、受信した地域関連データ（送信データ）から抽出した地域コード（抽出地理的範囲情報）が、比較コード選択情報５０２に基づき記憶部１１０から読み出した地域コードと合致すると、この受信した地域関連データを取得する機能（地理的範囲情報の合致する地域関連データを取得する手段）とを有する。
【００５１】
このように随時、任意に設定される複数の地域コード（設定地理的範囲情報）を選択できるようにすることで、視聴者は地理的範囲を任意に変更することができるようになる。
【００５２】
以下、当該データ放送受信装置が、ある放送局による地域関連データ放送によって送信される地域関連データ（送信データ）の中から、視聴者が所望する地理的範囲（地域名）に係る地域関連データを選択する際の動作について、図６、７に示すフローチャート図を用いて説明する。
【００５３】
まず、視聴者が行う初期設定について説明すると、視聴者は、初期設定を行うか否かを選択することができる（ＳＴＥＰ６０１）。初期設定を行う場合（ＳＴＥＰ６０１のＹＥＳ）、視聴者は、上述した「地上デジタルテレビジョン放送運用規定」で決められている県域コード（上述した「「デジタル放送に使用する番組配列情報の標準規格」に定められた県域コード」）と、郵便番号を指令入力部から入力する。データ放送受信装置（制御部）は、視聴者が入力した県域コードと郵便番号を記憶部へ記憶する（ＳＴＥＰ６０２）。そして、さらに視聴者が当該データ放送受信装置の設置位置の情報として指令入力部から入力した視聴者所望の地理的範囲を示す初期設定地域コード（設定地理的範囲情報）を記憶する（ＳＴＥＰ６０３）。
【００５４】
その後、視聴者が指令入力部から視聴者所望の地理的範囲を示す任意設定地域コード（設定地理的範囲情報）を随時、任意に入力した場合には（ＳＴＥＰ６０４のＹＥＳ）、この任意設定地域コードを記憶する（ＳＴＥＰ６０５）。
【００５５】
次に、視聴者が、記憶部に記憶されている初期設定地域コードおよび任意設定地域コードの中から任意の一つを選択するための比較コード選択情報（選択地理的範囲情報）を指令入力部から入力すると（ＳＴＥＰ６０６のＹＥＳ）、この選択された地域コードを示す比較コード選択情報を記憶する（ＳＴＥＰ６０７）。
【００５６】
続いて、ある放送局による地域関連データ放送によって送信される地域関連データ（送信データ）の中から、視聴者が所望する地理的範囲（地域名）に係る地域関連データを選択する際の動作について説明する。
【００５７】
視聴者が所望する放送局からの地域関連データ放送（トランスポートストリームによる送信データ）を受信しＭＰＥＧ２データに復元すると（ＳＴＥＰ６０８）、データ放送受信装置（制御部）は、まずこの送信データ（地域関連データ）の情報ヘッダーから地域コード（抽出地理的範囲情報）抽出する（ＳＴＥＰ６０９）。
【００５８】
そして、比較コード選択情報を記憶している場合には、この比較コード選択情報を基に、記憶しているものの中から該当する地域コードを選択して読み出し（ＳＴＥＰ６１０）、抽出した地域コードと比較する（ＳＴＥＰ６１１）。なお、比較コード選択情報を記憶していない場合には、例えば初期設定地域コードのみを用いるなどしてもよい。
【００５９】
その結果、合致すれば（ＳＴＥＰ６１１のＹＥＳ）、この送信データを取得して（ＳＴＥＰ６１２）、表示部やスピーカーにより表示や音声出力が行われるようにする（ＳＴＥＰ６１３）。合致しなければ（ＳＴＥＰ６１１のＮＯ）、破棄する（ＳＴＥＰ６１４）。
【００６０】
以上のように、本実施の形態２によれば、視聴者は、初期設定時以外においても隋時、任意の数の地域コード（設定地理的範囲情報）を設定することができ、これらの中から任意に選択することができるので、利便性をより高めることができる。
【００６１】
（実施の形態３）
図８は本発明の実施の形態３によるデータ放送受信装置の概略ブロック図である。なお、前述した実施の形態１と同じ構成を有する部材には同一の番号を付記して、説明を省略する。
【００６２】
本実施の形態３によるデータ放送受信装置は、図８に示すように、初期設定時に、視聴者所望の地理的範囲を示す初期設定地域コード（設定地理的範囲情報）１１２に加えて、視聴者所望のジャンルを示す初期設定ジャンルコード（設定ジャンル情報）８０１を記憶部１１０に記憶し、この初期設定地域コード１１２により特定される地理的範囲（地域名）に係る地域関連データ（地域に密着した情報）であって、かつ初期設定ジャンルコード８０１により特定されるジャンルの地域関連データを、地域関連データ放送により送信される地域関連データの中から選択することが可能となる点が実施の形態１によるデータ放送受信装置とは異なる。
【００６３】
すなわち、本実施の形態３によるデータ放送受信装置の制御部１０８は、前述した実施の形態１によるデータ放送受信装置の制御部が有する機能に加えて、初期設定時に入力された視聴者所望のジャンルを示す初期設定ジャンルコード（設定ジャンル情報）８０１を記憶部１１０に記憶する機能（設定ジャンル情報を記憶する手段）と、受信した地域関連データからその内容を表すジャンルを示すジャンルコード（抽出ジャンル情報）を抽出する機能（抽出ジャンル情報を抽出する手段）と、この抽出したジャンルコードが、初期設定時に記憶部１１０に記憶した初期設定ジャンルコード８０１と合致すると、この受信した地域関連データを取得する機能（ジャンル情報の合致する地域関連データを取得する手段）とを有し、視聴者所望の地理的範囲に係る地域関連データであって、かつその地域関連データの内容を表すジャンルが視聴者所望のジャンルと一致するものを取得するようにする。なお、本実施の形態３では初期設定時に設定地理的範囲情報と設定ジャンル情報の設定を行うものとするが、初期設定時以外でも無論よい。
【００６４】
まず、本実施の形態３によるジャンルコード（ジャンル情報）について、図９を用いて説明する。このジャンルコードは、「社団法人電波産業会」が策定した「地上デジタルテレビジョン放送運用規定」定められた番組放送に使用される番組放送用のジャンルコード（ＡＲＩＢ  ＴＲ−Ｂ１４（第二分冊）の第４編第２５９頁）とは異なるデータ放送用ジャンルコード（データ放送用ジャンル情報コード）である。
【００６５】
このジャンルコードのコード体系は、概略コード体系表９０２に示すように、地震、火災、電気工事、ガス工事などジャンルごとにジャンルコードが割り当てられた構造となっており、例えば１番からの通し番号でよい。なお、０番はジャンルを問わないということを意味している。このようなコード体系をもつジャンルコードを導入すれば、ジャンルを詳細に限定することが可能となる。
【００６６】
続いて、本実施の形態３による地域関連データ放送により送信される送信データ（地域関連データ）のフォーマットについて説明する。図１０は地域関連データ放送により送信される送信データのフォーマットを説明するための図である。図１０において、１００１は送信データ本体であり、内容（地域に密着した情報）を表示するときの書式、色、位置等を指定するヘッダー１００２が設けられている。また、内容１００３内には、その地域に密着した情報１００５を表すジャンルを示すジャンルコード（抽出ジャンル情報）および地理的範囲（地域名）を示す地域コード（抽出地理的範囲情報）の組み込まれた情報ヘッダー１００４が設けられている。
【００６７】
以下、当該データ放送受信装置が、ある放送局による地域関連データ放送によって送信される地域関連データ（送信データ）の中から、視聴者が所望する地理的範囲（地域名）に係る地域関連データであって、かつ視聴者が所望するジャンルの地域関連データを選択する際の動作について、図１１、１２に示すフローチャート図を用いて説明する。
【００６８】
まず、視聴者が行う初期設定について説明すると、視聴者は、初期設定を行うか否かを選択することができる（ＳＴＥＰ１１０１）。初期設定を行う場合（ＳＴＥＰ１１０１のＹＥＳ）、視聴者は、上述した「地上デジタルテレビジョン放送運用規定」で決められている県域コード（上述した「「デジタル放送に使用する番組配列情報の標準規格」に定められた県域コード」）と、郵便番号を指令入力部から入力する。データ放送受信装置（制御部）は、視聴者が入力した県域コードと郵便番号を記憶部へ記憶する（ＳＴＥＰ１１０２）。そして、さらに視聴者が当該データ放送受信装置の設置位置の情報として指令入力部から入力した視聴者所望の地理的範囲を示す初期設定地域コード（設定地理的範囲情報）と、視聴者所望のジャンルを示す初期設定ジャンルコード（設定ジャンル情報）を記憶する（ＳＴＥＰ１１０３、ＳＴＥＰ１１０４）。なお、初期設定ジャンルコードと初期設定地域コードの設定順は逆であってもよい。
【００６９】
続いて、ある放送局による地域関連データ放送によって送信される地域関連データ（送信データ）の中から、視聴者が所望する地理的範囲（地域名）に係る地域関連データであって、かつ視聴者が所望するジャンルの地域関連データを選択する際の動作について説明する。
【００７０】
視聴者が所望する放送局からの地域関連データ放送（トランスポートストリームによる送信データ）を受信しＭＰＥＧ２データに復元すると（ＳＴＥＰ１１０５）、データ放送受信装置（制御部）は、まずこの送信データ（地域関連データ）の情報ヘッダーからジャンルコード（抽出ジャンル情報）と地域コード（抽出地理的範囲情報）を抽出する（ＳＴＥＰ１１０６、ＳＴＥＰ１１０７）。なお、無論、情報ヘッダー内での抽出ジャンル情報と抽出地理的範囲情報の順序が逆であれば、抽出順も逆となる。
【００７１】
次に、データ放送受信装置（制御部）は、視聴者設定ジャンルコード（設定ジャンル情報）と‘０’とを比較し（ＳＴＥＰ１１０８）、合致しなければ（ＳＴＥＰ１１０８のＮＯ）、抽出したジャンルコード（抽出ジャンル情報）と初期設定ジャンルコードとの比較処理に進み（ＳＴＥＰ１１０９）、合致すれば（ＳＴＥＰ１１０８のＹＥＳ）、抽出した地域コード（抽出地理的範囲情報）と初期設定地域コード（設定地理的範囲情報）との比較処理に進む（ＳＴＥＰ１１１０）。
【００７２】
ＳＴＥＰ１１０９による比較の結果、合致しなければ（ＳＴＥＰ１１０９のＮＯ）、この送信データを破棄する（ＳＴＥＰ１１１３）。合致すれば（ＳＴＥＰ１１０９のＹＥＳ）、抽出した地域コードと初期設定地域コードとを比較し（ＳＴＥＰ１１１０）、合致すれば（ＳＴＥＰ１１１０のＹＥＳ）、この送信データを取得して（ＳＴＥＰ１１１１）、表示部やスピーカーにより表示や音声出力が行われるようにする（ＳＴＥＰ１１１２）。合致しなければ（ＳＴＥＰ１１１０のＮＯ）、破棄する（ＳＴＥＰ１１１３）。
【００７３】
なお、比較処理の順序は上述した順序に限るものでないことは言うまでもない。
以上のように本実施の形態３によれば、例えば、ガス工事、選挙、予防接種等の公共情報や、台風、地震、火災等の災害情報、大売り出しのお店情報などのジャンルごとに対応したコード体系をもつデータ放送用のジャンルコード（ジャンル情報）を導入することにより、地域関連データ放送により送信される地域関連データ（地域に密着した情報）の中から、視聴者が設定した視聴者所望の地理的範囲（地域名）に係る地域関連データであって、かつ視聴者が設定した視聴者所望のジャンルの地域関連データを容易に選択することが可能となるので、視聴者が得たい情報をより詳細に限定することが可能となり、利便性をより高めることができる。
【００７４】
（実施の形態４）
図１３は本発明の実施の形態４によるデータ放送受信装置の概略ブロック図である。なお、前述した実施の形態１〜３と同じ構成を有する部材には同一の番号を付記して、説明を省略する。
【００７５】
本実施の形態４によるデータ放送受信装置は、図１３に示すように、初期設定地域コード１１２と初期設定ジャンルコード８０１に加えて、初期設定時以外の時においても随時、任意に設定される複数の任意設定地域コード５０１と任意設定ジャンルコード１３０１を記憶部１１０に記憶し、これら地域コード（初期設定時のものを含む。）の中から選択された地域コードにより特定される地理的範囲（地域名）に係る地域関連データ（地域に密着した情報）であって、かつこれらジャンルコード（初期設定時のものを含む。）の中から選択されたジャンルコードにより特定されるジャンルの地域関連データを、地域関連データ放送により送信される地域関連データの中から選択することが可能となる点が実施の形態３によるデータ放送受信装置とは異なる。
【００７６】
すなわち、本実施の形態４によるデータ放送受信装置の制御部１０８は、前述した実施の形態３によるデータ放送受信装置の制御部が有する機能に加えて、随時、任意に設定される複数の地域コード（設定地理的範囲情報）とジャンルコード（設定ジャンル情報）を記憶部１１０に記憶する機能（設定地理的範囲情報を記憶する手段、設定ジャンル情報を記憶する手段）と、これら（初期設定時に記憶したものを含む。）の中から選択された地域コードおよびジャンルコードを示す比較コード選択情報１３０２（選択地理的範囲情報、選択ジャンル情報）を記憶する機能（選択地理的範囲情報を記憶する手段，選択ジャンル情報を記憶する手段）と、受信した地域関連データ（送信データ）から抽出した地域コード（抽出地理的範囲情報）およびジャンルコード（抽出ジャンル情報）が、比較コード選択情報１３０２に基づき記憶部１１０から読み出した地域コードおよびジャンルコードと合致すると、この受信した地域関連データを取得する機能（地理的範囲情報の合致する地域関連データを取得する手段、ジャンル情報の合致する地域関連データを取得する手段）とを有する。
【００７７】
このように随時、任意に設定される複数の地域コード（設定地理的範囲情報）とジャンルコード（設定ジャンル情報）を選択できるようにすることで、視聴者は地理的範囲およびジャンルを任意に変更することができるようになる。
【００７８】
以下、当該データ放送受信装置が、ある放送局による地域関連データ放送によって送信される地域関連データ（送信データ）の中から、視聴者が所望する地理的範囲（地域名）に係る地域関連データであって、かつ視聴者が所望するジャンルの地域関連データを選択する際の動作について、図１４〜図１６に示すフローチャート図を用いて説明する。
【００７９】
まず、視聴者が行う初期設定について説明すると、視聴者は、初期設定を行うか否かを選択することができる（ＳＴＥＰ１４０１）。初期設定を行う場合（ＳＴＥＰ１４０１のＹＥＳ）、視聴者は、上述した「地上デジタルテレビジョン放送運用規定」で決められている県域コード（上述した「「デジタル放送に使用する番組配列情報の標準規格」に定められた県域コード」）と、郵便番号を指令入力部から入力する。データ放送受信装置（制御部）は、視聴者が入力した県域コードと郵便番号を記憶部へ記憶する（ＳＴＥＰ１４０２）。そして、さらに視聴者が当該データ放送受信装置の設置位置の情報として指令入力部から入力した視聴者所望の地理的範囲を示す初期設定地域コード（設定地理的範囲情報）と、視聴者所望のジャンルを示す初期設定ジャンルコード（設定ジャンル情報）を記憶する（ＳＴＥＰ１４０３、ＳＴＥＰ１４０４）。なお、初期設定ジャンルコードと初期設定地域コードの設定順は逆であってもよい。
【００８０】
その後、視聴者が指令入力部から視聴者所望のジャンルを示す任意設定ジャンルコード（設定ジャンル情報）を随時、任意に入力した場合には（ＳＴＥＰ１４０５のＹＥＳ）、この任意設定ジャンルコードを記憶する（ＳＴＥＰ１４０６）。また、視聴者が指令入力部から視聴者所望の地理的範囲を示す任意設定地域コード（設定地理的範囲情報）を随時、任意に入力した場合には（ＳＴＥＰ１４０７のＹＥＳ）、この任意設定地域コードを記憶する（ＳＴＥＰ１４０８）。なお、任意設定ジャンルコードと任意設定地域コードの設定はいつでもよく、設定順が逆であってもよい。
【００８１】
次に、視聴者が、記憶部に記憶されている地域コード（初期設定地域コードと任意設定地域コード）およびジャンルコード（初期設定ジャンルコードと任意設定ジャンルコード）の中からそれぞれ任意の一つを選択するための比較コード選択情報（選択地理的範囲情報と選択ジャンル情報）を指令入力部から入力すると（ＳＴＥＰ１４０９のＹＥＳ）、この選択された地域コードとジャンルコードを示す比較コード選択情報を記憶する（ＳＴＥＰ１４１０）。
【００８２】
続いて、ある放送局による地域関連データ放送によって送信される地域関連データ（送信データ）の中から、視聴者が所望する地理的範囲（地域名）に係る地域関連データであって、かつ視聴者が所望するジャンルの地域関連データを選択する際の動作について説明する。
【００８３】
視聴者が所望する放送局からの地域関連データ放送（トランスポートストリームによる送信データ）を受信しＭＰＥＧ２データに復元すると（ＳＴＥＰ１４１１）、データ放送受信装置（制御部）は、まずこの送信データ（地域関連データ）の情報ヘッダーからジャンルコード（抽出ジャンル情報）と地域コード（抽出地理的範囲情報）を抽出する（ＳＴＥＰ１４１２、ＳＴＥＰ１４１３）。なお、無論、情報ヘッダー内でのジャンル情報と地理的範囲情報の順序が逆であれば、抽出順も逆となる。
【００８４】
そして、比較コード選択情報を記憶している場合には、この比較コード選択情報を基に、記憶しているものの中から該当するジャンルコードと地域コードを選択して読み出す（ＳＴＥＰ１４１４）。なお、比較コード選択情報を記憶していない場合には、例えば初期設定地域コードと初期設定ジャンルコードを用いて比較を行うようにするなどすればよい。
【００８５】
次に、データ放送受信装置（制御部）は、選択されたジャンルコード（設定ジャンル情報）と‘０’とを比較し（ＳＴＥＰ１４１５）、合致しなければ（ＳＴＥＰ１４１５のＮＯ）、抽出したジャンルコード（抽出ジャンル情報）と選択されたジャンルコードとの比較処理に進み（ＳＴＥＰ１４１６）、合致すれば（ＳＴＥＰ１４１５のＹＥＳ）、抽出した地域コード（抽出地理的範囲情報）と選択された地域コード（設定地理的範囲情報）との比較処理に進む（ＳＴＥＰ１４１７）。
【００８６】
ＳＴＥＰ１４１６による比較の結果、合致しなければ（ＳＴＥＰ１４１６のＮＯ）、この送信データを破棄する（ＳＴＥＰ１４２０）。合致すれば（ＳＴＥＰ１４１６のＹＥＳ）、抽出した地域コードと選択された地域コードとを比較し（ＳＴＥＰ１４１７）、合致すれば（ＳＴＥＰ１４１７のＹＥＳ）、この送信データを取得して（ＳＴＥＰ１４１８）、表示部やスピーカーにより表示や音声出力が行われるようにする（ＳＴＥＰ１４１９）。合致しなければ（ＳＴＥＰ１４１７のＮＯ）、破棄する（ＳＴＥＰ１４２０）。
【００８７】
なお、比較処理の順序は上述した順序に限るものでないことは言うまでもない。
以上のように、本実施の形態４によれば、視聴者は、初期設定時以外においても随時、任意の数の地域コード（設定地理的範囲情報）とジャンルコード（設定ジャンル情報）を設定することができ、これらの中からそれぞれ一つずつ任意に選択することができるので、利便性をより高めることができる。
【００８８】
（実施の形態５）
図１７は本発明の実施の形態５によるデータ放送受信装置の概略ブロック図である。なお、前述した実施の形態１〜４と同じ構成を有する部材には同一の番号を付記して、説明を省略する。
【００８９】
本実施の形態５によるデータ放送受信装置は、初期設定時に設定された所定の地理的範囲を示す初期設定地域コード（設定地理的範囲情報）と、受信した地域関連データ（送信データ）から抽出した地域コード（抽出地理的範囲情報）それぞれの、視聴者が所望する地理的範囲に係る地域コード（地理的範囲情報）を有効にし、これら有効な地域コードが合致すれば、この受信した地域関連データを取得するようにした点が実施の形態１〜４によるデータ放送受信装置と異なる。
【００９０】
具体的には、図１７に示すように、随時、任意に設定される複数の、視聴者所望の地理的範囲に係る地域コードを有効にする有効範囲データ（有効範囲情報）１７０１を、記憶部１１０に記憶し、これらの中から選択された有効範囲データによって有効とされる地域コード（有効範囲データによって有効とされる地域コードを、以下、選別コードと称す。）を、初期設定地域コード１１２、および受信した地域関連データから抽出した地域コードそれぞれから求め、合致すれば、この受信した地域関連データを取得するようにする。
【００９１】
このようにして、有効範囲データにより有効とされた初期設定地域コードにおける選別コード（以下、初期設定地域コードにおける選別コードを視聴者選別コードと称す。）に対応する地理的範囲に係る地域関連データ（地域に密着した情報）を、地域関連データ放送によって送信される地域関連データの中から選択するようにしている。
【００９２】
また、本実施の形態５によるデータ放送受信装置においては、図１７に示すように、随時、任意に設定される複数の任意設定ジャンルコード（設定ジャンル情報）１３０１を記憶部１１０に記憶し、前述した実施の形態４と同様に、これらの中から選択された任意設定ジャンルコードにより特定されるジャンルの地域関連データを、地域関連データ放送によって送信される地域関連データの中から選択するようにもしている。つまり、視聴者選別コードに対応する地理的範囲に係る地域関連データ（地域に密着した情報）であって、かつ選択された任意設定ジャンルコード（設定ジャンル情報）により特定されるジャンルの地域関連データを、ある放送局による地域関連データ放送によって送信される地域関連データの中から選択するようにしている。
【００９３】
このように随時、任意に設定される複数の有効範囲データ（有効範囲情報）とジャンルコード（設定ジャンル情報）を選択できるようにすることで、視聴者は地理的範囲およびジャンルを任意に変更することができるようになる。なお、本実施の形態５では初期設定時に設定地理的範囲情報の設定を行うものとするが、初期設定時以外でも無論よい。また、設定ジャンル情報については、無論、初期設定時に設定を行えるようにしてもよい。
【００９４】
また、本実施の形態５によるデータ放送受信装置の制御部１０８は、当該データ放送受信装置の設置位置の情報として初期設定時に入力された所定の地理的範囲を示す初期設定地域コード（設定地理的範囲情報）１１２を記憶部１１０に記憶する機能（設定地理的範囲情報を記憶する手段）と、随時、任意に設定される複数の有効範囲データ（有効範囲情報）１７０１および任意設定ジャンルコード（設定ジャンル情報）１３０１を記憶部１１０に記憶する機能（有効範囲情報を記憶する手段、設定ジャンル情報を記憶する手段）と、受信した地域関連データ（送信データ）から地理的範囲を示す地域コード（抽出地理的範囲情報）とその地域に密着した情報の内容を表すジャンルを示すジャンルコード（抽出ジャンル情報）を抽出する機能（抽出地理的範囲情報を抽出する手段、抽出ジャンル情報を抽出する手段）と、記憶部１１０に記憶されている有効範囲データと任意設定ジャンルコードの中からそれぞれ選択された有効範囲データと任意設定ジャンルコードを示す比較コード選択情報（選択有効範囲情報、選択ジャンル情報）１７０２を記憶部１１０に記憶する機能（選択有効範囲情報を記憶する手段、選択ジャンル情報を記憶する手段）と、比較コード選択情報（選択有効範囲情報）１７０２に基づき記憶部１１０から読み出した有効範囲データに基づき、初期設定地域コード１１２、および受信した地域関連データから抽出した地域コードそれぞれから選別コード（以下、受信した地域関連データから抽出した地域コードにおける選別コードをデータ選別コードと称す。）を求める機能（視聴者所望の地理的範囲に係る地理的範囲情報を求める手段）と、初期設定地域コード１１２、および受信した地域関連データから抽出した地域コードそれぞれから求めた視聴者選別コードとデータ選別コードが合致し、かつ、受信した地域関連データから抽出したジャンルコードが、比較コード選択情報１７０２（選択ジャンル情報）に基づき記憶部１１０から読み出したジャンルコードと合致すると、この受信した地域関連データを取得する機能（地理的範囲情報の合致する地域関連データを取得する手段、ジャンル情報の合致する地域関連データを取得する手段）とを有する。
【００９５】
以下、まず、本実施の形態５による地域コード（地理的範囲情報）について説明する。図１８は本実施の形態５による地域コードを説明するための図である。この地域コード１８０１のコード体系は、概略コード体系表１８１０に示すように、地方範囲、都道府県範囲、市区町村範囲、小学校区範囲、自治会範囲、町範囲、番地範囲からなるツリー構造となっており、各範囲に含まれる各地域名にはこのツリー構造を考慮した番号が割り当てられている。
【００９６】
続いて、本実施の形態５による有効範囲データ（有効範囲情報）について説明する。図１９は本実施の形態５による有効範囲データを説明するための図である。有効範囲データ１９０１は、図１８に示す地域コード１８０１と同じ構成であり、地域コード１８０１を構成する各範囲のうちのいずれの範囲を有効にするかについて決定するデータである。具体的には、例えば概略コード体系表１９１０に示すようなデータとなる。すなわち、１９１１は地方範囲が有効であることを示す有効範囲データ、１９１２は地方から都道府県範囲が有効であることを示す有効範囲データ、１９１３は地方から市区町村範囲が有効であることを示す有効範囲データ、１９１４は地方から区範囲が有効であることを示す有効範囲データ、１９１５は地方から小学校区範囲が有効であることを示す有効範囲データ、１９１６は地方から自治会範囲が有効であることを示す有効範囲データ、１９１７は地方から町範囲が有効であることを示す有効範囲データ、１９１８は地方から番地範囲が有効であることを示す有効範囲データである。なお、‘１’が有効を、‘０’が無効を示す。但し、この概略コード体系表１９１０は、図１８に示す概略コード体系表１８１０に対応している。
【００９７】
続いて、後述する本実施の形態５による選別コード（データ選別コード、視聴者選別コード）について説明する。図２０は本実施の形態５による選別コードを説明するための図である。選別コード２００１は、図１８に示す地域コード１８０１と同じ構成であり、図１８に示す地域コード１８０１と図１９に示す有効範囲データ１９０１との論理積により算出されるデータからなる。
【００９８】
以下、当該データ放送受信装置が、ある放送局による地域関連データ放送によって送信される地域関連データ（送信データ）の中から、視聴者が所望する地理的範囲に係る地域関連データであって、かつ視聴者が所望するジャンルの地域関連データを選択する際の動作について、図２１〜図２３に示すフローチャート図を用いて説明する。
【００９９】
まず、視聴者が行う初期設定について説明すると、視聴者は、初期設定を行うか否かを選択することができる（ＳＴＥＰ２１０１）。初期設定を行う場合（ＳＴＥＰ２１０１のＹＥＳ）、視聴者は、上述した「地上デジタルテレビジョン放送運用規定」で決められている県域コード（上述した「「デジタル放送に使用する番組配列情報の標準規格」に定められた県域コード」）と、郵便番号を指令入力部から入力する。データ放送受信装置（制御部）は、視聴者が入力した県域コードと郵便番号を記憶部へ記憶する（ＳＴＥＰ２１０２）。そして、さらに視聴者が指令入力部から入力した所定の地理的範囲を示す初期設定地域コード（設定地理的範囲情報）を記憶する（ＳＴＥＰ２１０３）。
【０１００】
その後、視聴者が指令入力部から視聴者所望のジャンルを示す任意設定ジャンルコード（設定ジャンル情報）を随時、任意に入力した場合には（ＳＴＥＰ２１０４のＹＥＳ）、この任意設定ジャンルコードを記憶する（ＳＴＥＰ２１０５）。また、視聴者が指令入力部から視聴者所望の地理的範囲に係る地域データを有効とする有効範囲データ（有効範囲情報）を随時、任意に入力すると（ＳＴＥＰ２１０６のＹＥＳ）、この有効範囲データを記憶する（ＳＴＥＰ２１０７）。
【０１０１】
次に、視聴者が、記憶部に記憶されている有効範囲データと任意設定ジャンルコードの中からそれぞれ任意の一つを選択するための比較コード選択情報（選択有効範囲情報と選択ジャンル情報）を指令入力部から入力すると（ＳＴＥＰ２１０８のＹＥＳ）、この選択された有効範囲データと任意設定ジャンルコードを示す比較コード選択情報を記憶する（ＳＴＥＰ２１０９）。
【０１０２】
続いて、ある放送局による地域関連データ放送によって送信される地域関連データ（送信データ）の中から、視聴者が所望する地理的範囲に係る地域関連データであって、かつ視聴者が所望するジャンルの地域関連データを選択する際の動作について説明する。
【０１０３】
視聴者が所望する放送局からの地域関連データ放送（トランスポートストリームによる送信データ）を受信しＭＰＥＧ２データに復元すると（ＳＴＥＰ２１１０）、データ放送受信装置（制御部）は、まずこの送信データ（地域関連データ）の情報ヘッダーからジャンルコード（抽出ジャンル情報）と地域コード（抽出地理的範囲情報）を抽出する（ＳＴＥＰ２１１１、ＳＴＥＰ２１１２）。なお、無論、情報ヘッダー内でのジャンル情報と地理的範囲情報の順序が逆であれば、抽出順も逆となる。
【０１０４】
そして、比較コード選択情報を記憶している場合には、この比較コード選択情報を基に、記憶しているものの中から該当する有効範囲データと任意設定ジャンルコードを選択して読み出す（ＳＴＥＰ２１１３）。なお、比較コード選択情報を記憶していない場合には、例えば初期設定地域コードのみを用いるなどしてもよい。
【０１０５】
次に、データ放送受信装置（制御部）は、選択された任意設定ジャンルコードと‘０’とを比較する（ＳＴＥＰ２１１４）。なお、ＳＴＥＰ２１０８において任意設定ジャンルコードが選択されていない場合には、‘０’が選択されているものとして処理を続行する。ＳＴＥＰ２１１４の結果、合致しなければ（ＳＴＥＰ２１１４のＮＯ）、抽出したジャンルコードと選択された任意設定ジャンルコードとの比較処理に進み（ＳＴＥＰ２１１５）、合致すれば（ＳＴＥＰ２１１４のＹＥＳ）、抽出した地域コードと選択された有効範囲データからデータ選別コードを算出する処理へ進む（ＳＴＥＰ２１１６）。
【０１０６】
ＳＴＥＰ１７１５による比較の結果、合致しなければ（ＳＴＥＰ２１１５のＮＯ）、この送信データを破棄する（ＳＴＥＰ２１２１）。合致すれば（ＳＴＥＰ２１１５のＹＥＳ）、抽出した地域コードと選択された有効範囲データからデータ選別コードを算出する処理へ進む（ＳＴＥＰ２１１６）。
【０１０７】
ＳＴＥＰ２１１６において、抽出した地域コードと選択された有効範囲データの論理積をとり、データ選別コードを算出し、初期設定地域コードと選択された有効範囲データの論理積をとり、視聴者選別コードを算出する（ＳＴＥＰ２１１７）。なお、データ選別コードと視聴者選別コードを算出する処理は、いずれを先行させても無論よい。
【０１０８】
データ選別コードと視聴者選別コード算出すると、これらを比較し（ＳＴＥＰ２１１８）、その結果、合致しなければ（ＳＴＥＰ２１１８のＮＯ）、この送信データを破棄する（ＳＴＥＰ２１２１）。合致すれば（ＳＴＥＰ２１１８のＹＥＳ）、この送信データを取得して（ＳＴＥＰ２１１９）、表示部やスピーカーにより表示や音声出力が行われるようにする（ＳＴＥＰ２１２０）。
【０１０９】
なお、データ選別コードと視聴者選別コードを比較する処理を、抽出したジャンルコードと選択された任意設定ジャンルコードを比較する処理に先行して行うようにしても無論よい。
【０１１０】
以上のように、本実施の形態５によれば、地方範囲、都道府県範囲、市区町村範囲、小学校区範囲、自治会範囲、町範囲、番地範囲からなる地域コード（地理的範囲情報）と、この地域コードの各範囲のいずれを有効にするかについて示す有効範囲データ（有効範囲情報）を導入し、地域コードと有効範囲データの論理積をとることで地域コードの有効ビットを可変させることにより、１つの地域コードで７種類の地理的範囲を特定することが可能となり、データ放送受信装置をより使い勝手のよいものとすることが可能となる。
【０１１１】
【発明の効果】
以上のように、本発明によれば、例えば、地方（近畿、中部、東海など）、都道府県、市町村、番地、自治会、学校区など視聴者が所望する地理的範囲を示す地理的範囲情報が設定可能となるので、受信した地域関連データ放送により送信される地域関連データ（地域に密着した情報）の中から、視聴者が所望する地理的範囲に係る地域関連データを選択して取得することが可能となる。
【０１１２】
また、例えば、ガス工事、選挙、予防接種等の公共情報や、台風、地震、火災等の災害情報、大売り出しのお店情報など視聴者が所望するジャンルを示すジャンル情報が設定可能となるので、視聴者が所望する地理的範囲に係る地域関連データであって、視聴者が所望するジャンルのものを選択して取得することが可能となる。
【図面の簡単な説明】
【図１】本発明の実施の形態１によるデータ放送受信装置の概略ブロック図
【図２】本発明の実施の形態１〜４による地域コードを説明するための図
【図３】本発明の実施の形態１、２による送信データ（地域関連データ）のフォーマットを説明するための図
【図４】本発明の実施の形態１によるデータ放送受信装置の動作を説明するためのフローチャート図
【図５】本発明の実施の形態２によるデータ放送受信装置の概略ブロック図
【図６】本発明の実施の形態２によるデータ放送受信装置の動作を説明するための第１フローチャート図
【図７】本発明の実施の形態２によるデータ放送受信装置の動作を説明するための第２フローチャート図
【図８】本発明の実施の形態３によるデータ放送受信装置の概略ブロック図
【図９】本発明の実施の形態３〜５によるジャンルコードを説明するための図
【図１０】本発明の実施の形態３〜５による送信データ（地域関連データ）のフォーマットを説明するための図
【図１１】本発明の実施の形態３によるデータ放送受信装置の動作を説明するための第１フローチャート図
【図１２】本発明の実施の形態３によるデータ放送受信装置の動作を説明するための第２フローチャート図
【図１３】本発明の実施の形態４によるデータ放送受信装置の概略ブロック図
【図１４】本発明の実施の形態４によるデータ放送受信装置の動作を説明するための第１フローチャート図
【図１５】本発明の実施の形態４によるデータ放送受信装置の動作を説明するための第２フローチャート図
【図１６】本発明の実施の形態４によるデータ放送受信装置の動作を説明するための第３フローチャート図
【図１７】本発明の実施の形態５によるデータ放送受信装置の概略ブロック図
【図１８】本発明の実施の形態５による地域コードを説明するための図
【図１９】本発明の実施の形態５による有効範囲データを説明するための図
【図２０】本発明の実施の形態５による選別データを説明するための図
【図２１】本発明の実施の形態５によるデータ放送受信装置の動作を説明するための第１フローチャート図
【図２２】本発明の実施の形態５によるデータ放送受信装置の動作を説明するための第２フローチャート図
【図２３】本発明の実施の形態５によるデータ放送受信装置の動作を説明するための第３フローチャート図
【図２４】従来のデータ放送受信装置の概略ブロック図
【図２５】従来の送信データ（地域関連データ）のフォーマットを説明するための図
【図２６】従来のデータ放送受信装置の動作を説明するためのフローチャート図
【符号の説明】
１０１、２４０１      アンテナ
１０２、２４０２      受信部
１０３、２４０３      ＴＳデコーダ部
１０４、２４０４      ＡＶデコーダ部
１０５、２４０５      再生部
１０６、２４０６      表示部
１０７、２４０７      スピーカー
１０８、２４０８      制御部
１０９、２４０９      制御データ記憶部
１１０、２４１０      記憶部
１１１、２４１１      指令入力部
１１２      初期設定地域コード
２０１      地域コード（地理的範囲情報）
２０２      地域コードの概略コード体系表
３０１      送信データ（地域関連データ）
３０２      ヘッダー
３０３      送信データの内容（地域に密着した情報）
３０４      情報ヘッダー（地域コード）
３０５      地域に密着した情報
５０１      任意設定地域コード
５０２      比較コード選択情報
８０１      初期設定ジャンルコード
９０１      ジャンルコード（ジャンル情報）
９０２      ジャンルコードの概略コード体系表
１００１      送信データ（地域関連データ）
１００２      ヘッダー
１００３      送信データの内容（地域に密着した情報）
１００４      情報ヘッダー（ジャンルコードと地域コード）
１００５      地域に密着した情報
１３０１      任意設定ジャンルコード
１３０２      比較コード選択情報
１７０１      有効範囲データ
１７０２      比較コード選択情報
１８０１      地域コード（地理的範囲情報）
１８１０      地域コードの概略コード体系表
１９０１      有効範囲データ
１９１０      有効範囲データの概略コード体系表
２００１      選別コード
２４１２      県域コード
２４１３      郵便番号
２５０１      送信データ（地域関連データ）
２５０２      ヘッダー
２５０３      送信データの内容（地域に密着した情報）
２５０４      情報ヘッダー（県域コードと郵便番号）
２５０５      地域に密着した情報
【図１】
2004187180.tif 000003
【図２】
2004187180.tif 000004
【図３】
2004187180.tif 000005
【図４】
2004187180.tif 000006
【図５】
2004187180.tif 000007
【図６】
2004187180.tif 000008
【図７】
2004187180.tif 000009
【図８】
2004187180.tif 000010
【図９】
2004187180.tif 000011
【図１０】
2004187180.tif 000012
【図１１】
2004187180.tif 000013
【図１２】
2004187180.tif 000014
【図１３】
2004187180.tif 000015
【図１４】
2004187180.tif 000016
【図１５】
2004187180.tif 000017
【図１６】
2004187180.tif 000018
【図１７】
2004187180.tif 000019
【図１８】
2004187180.tif 000020
【図１９】
2004187180.tif 000021
【図２０】
2004187180.tif 000022
【図２１】
2004187180.tif 000023
【図２２】
2004187180.tif 000024
【図２３】
2004187180.tif 000025
【図２４】
2004187180.tif 000026
【図２５】
2004187180.tif 000027
【図２６】
2004187180.tif 000028